(57)【要約】  【課題】  ビニルハウス雨樋の漏水が発生している箇所や、予め漏水が予想される箇所等に簡便に取り付けることが可能であって、しかも漏水を確実に回収、誘導して排水可能とするハウス用雨漏れ水処理具を提供する。  【解決手段】  連棟式ビニルハウス６雨樋６３の直下で雨漏れ水を受ける受け口２１を有する容器本体２を形成し、該容器本体２の均衡する適所には、吊下機構３を装備し、容器本体２の最下位箇所には、導水路４を着脱自在に接続してなるハウス用雨漏れ水処理具１である。【選択図】    図１
2006045826.tif 000002
【特許請求の範囲】
【請求項１】
多数の門型パイプフレームを所定間隔置きに平行配置して骨格体とする直棟ビニルハウスが梁方向に複数連続して形成されるようにした連棟式ビニルハウスの夫々の谷部に設置してある雨樋に対し、その直下で雨漏れ水を受けるに十分な大きさの受け口と所定深さとを有するようにして容器本体を形成した上、該容器本体の均衡する適所には、門型パイプフレームへの吊下機構を装備したものにすると共に、当該容器本体の最下位箇所に形成した排水口には、適宜長さとした導水路を着脱自在に接続してなるものとしたことを特徴とするハウス用雨漏れ水処理具。
【請求項２】
多数の門型パイプフレームを所定間隔置きに平行配置して骨格体とする直棟ビニルハウスが梁方向に複数連続して形成されるようにした連棟式ビニルハウスの夫々の谷部に設置してある雨樋に対し、その直下で雨漏れ水を受けるに十分な大きさの受け口と所定深さとを有するようにして容器本体を形成した上、該容器本体の均衡する適所には、門型パイプフレームへの吊下機構を装備したものにすると共に、当該容器本体の最下位箇所に形成した排水口には適宜長さとした導水路を着脱自在に接続したものとし、既設雨樋を流下する雨水が排水途中に雨漏れ、落下する箇所の直下に後付けで吊下し、雨漏れ水を地上適所まで誘導、排水してしまうようにしたことを特徴とするハウス用雨漏れ水処理具。
【請求項３】
多数の門型パイプフレームを所定間隔置きに平行配置して骨格体とする直棟ビニルハウスが梁方向に複数連続して形成されるようにした連棟式ビニルハウスの夫々の谷部に設置してある雨樋に対し、その直下で雨漏れ水を受けるに十分な大きさの受け口と所定深さとを有するようにして容器本体を形成した上、該容器本体の均衡する適所には、門型パイプフレームへの吊下機構を装備したものにすると共に、当該容器本体の最下位箇所に形成した排水口には、手作業によって自由に変形可能な程度の柔軟性を有し、雨漏れ水を地上適所まで誘導、排水可能とする適宜長さとした導水路を着脱自在に接続してなるものとしたことを特徴とするハウス用雨漏れ水処理具。
【請求項４】
多数の門型パイプフレームを所定間隔置きに平行配置して骨格体とする直棟ビニルハウスが梁方向に複数連続して形成されるようにした連棟式ビニルハウスの夫々の谷部に設置してある雨樋に対し、その直下で雨漏れ水を受けるに十分な大きさの受け口と所定深さとを有するようにして容器本体を形成した上、該容器本体の均衡する適所には、門型パイプフレームへの吊下機構を装備したものにすると共に、当該容器本体の最下位箇所に形成した排水口には、手作業によって自由に変形可能な程度の柔軟性を有し、雨水が管路中を流下する軟質合成樹脂製のホースあるいは蛇腹構造や複数のパイプ駒を接続した金属製もしくは硬質合成樹脂製の配管からなり、雨漏れ水を地上適所まで誘導、排水可能とする適宜長さとした導水路を着脱自在に接続してなるものとしたことを特徴とするハウス用雨漏れ水処理具。
【請求項５】
多数の門型パイプフレームを所定間隔置きに平行配置して骨格体とする直棟ビニルハウスが梁方向に複数連続して形成されるようにした連棟式ビニルハウスの夫々の谷部に設置してある雨樋に対し、その直下で雨漏れ水を受けるに十分な大きさの受け口と所定深さとを有するようにして容器本体を形成した上、該容器本体の均衡する適所には、門型パイプフレームへの吊下機構を装備したものにすると共に、当該容器本体の最下位箇所に形成した排水口には、手作業によって自由に変形可能な程度の柔軟性を有し、雨水が外側を伝って流下する金属あるいは合成樹脂の鎖製、もしくは金属ワイヤ製または合成樹脂紐製であって、雨漏れ水を地上適所まで誘導、排水可能とする適宜長さとした導水路を着脱自在に接続してなるものとしたことを特徴とするハウス用雨漏れ水処理具。
【請求項６】
吊下機構が、容器本体の受け口周囲付近の均衡する複数箇所の夫々に、門型パイプフレームかあるいは雨樋の適所に繋着可能な鈎を有した繋着紐の基端を連結してなる、請求項１ないし５何れか一項記載のハウス用雨漏れ水処理具。
【請求項７】
吊下機構が、容器本体の受け口周囲付近の均衡する複数箇所の夫々に、先端に門型パイプフレームかあるいは雨樋の適所に繋着可能な鈎を有し、中途適所に長さ調節金具を添設した繋着紐の基端を連結してなる、請求項１ないし５何れか一項記載のハウス用雨漏れ水処理具。
【請求項８】
吊下機構が、容器本体の受け口周囲付近の、取付け対象雨樋の両側縁に対応する部位夫々に、雨樋両側縁に繋着可能な繋着爪を一体化形成してなる、請求項１ないし５何れか一項記載のハウス用雨漏れ水処理具。
【発明の詳細な説明】
【技術分野】
【０００１】
この発明は、ビニルハウス等に設置される雨樋に関連するあらゆる分野をその技術分野とするものであって、雨樋用の添設部品を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                                                              
【背景技術】
【０００２】
（着眼点）
我が国は、南北に細長い国土を有し、その地形も内陸や内海、島、盆地、傾斜地等複雑なために、季節毎の日射や気温、降水量等地方毎に独特の気象条件があり、このような土地毎に異なる様々な気候の下で、各種の野菜や果樹類等の栽培に好適な条件を確保し、効率的に生産する為、ビニルハウスやガラス室等を用いた施設型の促成栽培が盛んに行われており、比較的冷涼な気候を好み、丁度梅雨期に重なる成熟期に降雨に遭うと裂果を起こし、商品価値を大きく失ってしまう桜桃のような果樹には、一般的なハウスよりもさらに背の高い屋根をもつビニルハウスを連棟型に組み立てたものが多く用いられており、このような連棟型のビニルハウスには、各屋根部分の谷間形状箇所の夫々にハウスの棟方向に沿って、一方端側に下り勾配を持つ雨樋が設置されており、各屋根部分に降り注いだ雨水が雨樋を流れてビニルハウスの一方向端側に排水されるようになっている。
【０００３】
こうした大型のビニルハウスでは、棟方向の長さが数百メートルに及ぶものもあり、そのような場合には、ビニルハウスの全長に掛けて複数本の雨樋を継ぎ合わせ、接続部分にコーキングによる防水処理を施したものとするのが一般的であるが、設置済みの雨樋は、ビニルシートの張設作業やメンテナンス時には足場として利用するのに好都合となるため、その際の作業歩行によって荷重を受けた接続部分のコーキングにヒビ割れを起こしてしまうことがあり、結果として雨樋の接続部分から雨水が漏れ出す原因となってしまったり、あるいはこのような接続部分でなくとも、一時的な集中的降雨によって予定外の大量の雨水が発生して雨樋の中途箇所から溢れ出してしまったりすることがあり、特に桜桃のようにハウス内への雨水の飛散によって、収穫前果実の商品価値が大きく失われてしまうようなときには、このような事態に早急に対処して被害の拡大を最小限に抑えることが必要となるにも拘わらず、果樹栽培用のビニルハウスは、通常のビニルハウスに比較して屋根が高く、雨樋からの漏水を阻止する作業が降雨中の高所作業となってしまい、しかも雨水が流れる雨樋を足場とすることが多いため、後継者不足で高齢化してしまっている果樹栽培農家等にあっては、危険性が高過ぎて速やかな対応ができず、手を拱ねいている中に損害を拡大してしまうという問題があった。
【０００４】
（従来の技術）
しかしながら、従前までに、こうした雨樋からの雨漏りを防止する技術は未だ開発されておらず、登録実用新案第３０１７６０９号公報に開示された、ビニルハウスのアーチ状構造材の肩部または側部に固定金具によって固定されたビニルハウス用結露排水装置において、結露水受けフレームはシート定着用蟻溝型支持フレームの一方の上縁部に連結して２条の凸条が形成されたシート取付け部を形成し、さらに該取付け部の一方の下縁部に結露水を受ける排水構造を延設し、該排水溝部内に不織布を敷設し、該結露水受けフレームの連接部で不織布を該連接部内に少々垂れ下げたものとしてなる「ビニールハウス用結露水排水装置」田中考案や、登録実用新案第３０４１４１７号公報の、結露水受けフレームの中間部に排水孔を穿設し、該排水孔の周辺に下から水滴受け口を当て結露水受けフレームの一側壁を外側に延設して連接辺を形成し、該連接辺を蟻溝型支持フレームの蟻溝の一側壁の内面と接する状態とした蟻溝型支持フレームと結露水受けフレームとの間に、長方形の押圧片にボルトを備えた連接用具を介させ、該ボルトを水滴受け口に締結することによって両者と共に水滴受け口をも一体に連接固定させた「ビニールハウス用結露水排水装置」山城考案等のような、ビニルハウスの屋根部分に張設されたビニルシート内周壁面に発生した結露を、ビニルハウスのアーチ状構造材の肩部または側部付近で回収し、ハウス外へ誘導、排水可能とする技術が開発されているのに留まっている。                                              
【特許文献１】（１）登録実用新案第３０１７６０９号公報    （２）登録実用新案第３０４１４１７号公報
【発明の開示】
【発明が解決しようとする課題】
【０００５】
（問題意識）
この発明は、上記した従前までのもののように、ビニルハウスのシート内壁面に発生した結露がハウス内の作物に落下する前に回収して排水可能とする「ビニールハウス用結露水排水装置」は盛んに開発されてはいたものの、連棟型のビニルハウスに設置された雨樋から漏出する雨水がハウス内に落下、飛散してしまう現象を防止するようにした技術は未だ開発されておらず、収穫期が梅雨期に重なる桜桃を栽培する各園芸農家は、夫々が独自にその場に応じた応急処置を施すしかなく、一般には殆ど有効な対策を講ずることができないまま、雨漏り周辺の果実の商品価値がどんどん失われてしまうのを見ているしかないというのが実情であり、このようなビニルハウス雨樋からの雨漏りを発見したときに、迅速且つ確実に漏水の飛散を止めて周辺作物への被害を最小限に抑えることができるようにした技術の開発が待望されていた。
【０００６】
（発明の目的）
そこで、この発明は、ビニルハウスに設置された雨樋の漏水が発生している箇所や、予め漏水が予想される箇所に簡便に取り付けることが可能であって、しかも漏水を確実に回収し、ビニルハウス内の地上付近かあるいはビニルハウス外へと誘導して排水可能とする技術を実現させることはできないものかとの判断から、逸速くその開発、研究に着手し、長期に渡る試行錯誤と幾多の試作、実験とを繰り返してきた結果、今回、遂に新規な構造のハウス用雨漏れ水処理具を実現化することに成功したものであり、以下では、図面に示すこの発明を代表する実施例と共に、その構成を詳述することとする。                                    
【課題を解決するための手段】
【０００７】
（発明の構成）
図面に示すこの発明を代表する実施例からも明確に理解されるように、この発明のハウス用雨漏れ水処理具は、基本的に次のような構成から成り立っている。
即ち、多数の門型パイプフレームを所定間隔置きに平行配置して骨格体とする直棟ビニルハウスが梁方向に複数連続して形成されるようにした連棟式ビニルハウスの夫々の谷部に設置してある雨樋に対し、その直下で雨漏れ水を受けるに十分な大きさの受け口と所定深さとを有するようにして容器本体を形成した上、該容器本体の均衡する適所には、門型パイプフレームへの吊下機構を装備したものにすると共に、当該容器本体の最下位箇所に形成した排水口には、適宜長さとした導水路を着脱自在に接続してなるものとした構成を要旨とするハウス用雨漏れ水処理具である。
【０００８】
これを表現を変えて示すと、多数の門型パイプフレームを所定間隔置きに平行配置して骨格体とする直棟ビニルハウスが梁方向に複数連続して形成されるようにした連棟式ビニルハウスの夫々の谷部に設置してある雨樋に対し、その直下で雨漏れ水を受けるに十分な大きさの受け口と所定深さとを有するようにして容器本体を形成した上、該容器本体の均衡する適所には、門型パイプフレームへの吊下機構を装備したものにすると共に、当該容器本体の最下位箇所に形成した排水口には適宜長さとした導水路を着脱自在に接続したものとし、既設雨樋を流下する雨水が排水途中に雨漏れ、落下する箇所の直下に後付けで吊下し、雨漏れ水を地上適所まで誘導、排水してしまうようにしたハウス用雨漏れ水処理具となる。
【０００９】
そして、より具体的なものとして示すと、多数の門型パイプフレームを所定間隔置きに平行配置して骨格体とする直棟ビニルハウスが梁方向に複数連続して形成されるようにした連棟式ビニルハウスの夫々の谷部に設置してある雨樋に対し、その直下で雨漏れ水を受けるに十分な大きさの受け口と所定深さとを有するようにして容器本体を形成した上、該容器本体の均衡する適所には、門型パイプフレームへの吊下機構を装備したものにすると共に、当該容器本体の最下位箇所に形成した排水口には、手作業によって自由に変形可能な程度の柔軟性を有し、雨漏れ水を地上適所まで誘導、排水可能とする適宜長さとした導水路を着脱自在に接続してなるものとしたハウス用雨漏れ水処理具ということが可能である。
【００１０】
さらに具体的には、多数の門型パイプフレームを所定間隔置きに平行配置して骨格体とする直棟ビニルハウスが梁方向に複数連続して形成されるようにした連棟式ビニルハウスの夫々の谷部に設置してある雨樋に対し、その直下で雨漏れ水を受けるに十分な大きさの受け口と所定深さとを有するようにして容器本体を形成した上、該容器本体の均衡する適所には、門型パイプフレームへの吊下機構を装備したものにすると共に、当該容器本体の最下位箇所に形成した排水口には、手作業によって自由に変形可能な程度の柔軟性を有し、雨水が管路中を流下する軟質合成樹脂製のホースあるいは蛇腹構造や複数のパイプ駒を接続した金属製もしくは硬質合成樹脂製の配管からなり、雨漏れ水を地上適所まで誘導、排水可能とする適宜長さとした導水路を着脱自在に接続してなるものとしたハウス用雨漏れ水処理具である。
【００１１】
同様に、多数の門型パイプフレームを所定間隔置きに平行配置して骨格体とする直棟ビニルハウスが梁方向に複数連続して形成されるようにした連棟式ビニルハウスの夫々の谷部に設置してある雨樋に対し、その直下で雨漏れ水を受けるに十分な大きさの受け口と所定深さとを有するようにして容器本体を形成した上、該容器本体の均衡する適所には、門型パイプフレームへの吊下機構を装備したものにすると共に、当該容器本体の最下位箇所に形成した排水口には、手作業によって自由に変形可能な程度の柔軟性を有し、雨水が外側を伝って流下する金属あるいは合成樹脂の鎖製、もしくは金属ワイヤ製または合成樹脂紐製であって、雨漏れ水を地上適所まで誘導、排水可能とする適宜長さとした導水路を着脱自在に接続してなるハウス用雨漏れ水処理具ということができる。                                              
【発明の効果】
【００１２】
以上のとおり、この発明のハウス用雨漏れ水処理具によれば、連棟式ビニルハウスの谷部に設置された雨樋の接続箇所等の漏水が発生している箇所や、予め漏水が予想される箇所等に簡便に取り付けることが可能であって、しかも漏水を確実に回収し、ビニルハウス内の地上付近か、あるいはビニルハウス外かの何れかへと誘導して排水可能とすることができるので、特に雨水の付着によって商品価値を失ってしまう桜桃果実のような作物の栽培に欠かせないものとなり、従前までであれば、雨漏り水を受けて裂果してしまっていた果実を確実に保護し、より安定した生産性を獲得することができ、果樹用のビニルハウスのように背が高く、雨樋の修繕作業を高所で行わなければならないような場合にも、ビニルハウスの内側から当該容器本体を吊下、装着することが可能となり、降雨中での危険な高所作業を不要として、メンテナンス作業を安全なものとすることができるという秀れた特徴が得られるものである。                                                                              
【発明を実施するための最良の形態】
【００１３】
上記したとおりの構成からなるこの発明の実施に際し、その最良もしくは望ましい形態について説明を加えることにする。
容器本体は、連棟式ビニルハウスの直棟ビニルハウス間の谷部に設置された雨樋およびその近傍周辺付近から漏出し、ビニルハウス内に落下して来る雨水を、その下方に位置させて回収可能とし、流入した雨水を下方適所を通じてビニルハウス内の農作物類に飛沫が付着しないよう、所望する地上付近に排水可能とする機能を果たすものであり、漏水を溢れさせることなく収容可能な程度に十分に拡開された上部開口形状の受け口を有し、十分な容量を確保した器状あるいは漏斗状に形成されたものとすべきであり、十分な防水機能を有する金属製あるいは合成樹脂製の保形性あるものから、簡便にはゴムやビニルシートのような耐水性でコンパクトに折り畳めるようにした適宜軟質素材のようなものなどにより、初めから成形されて、または広げることより、夫々逆角錐状や逆円錐状、略逆角錐台状や略逆円錐台状、あるいはロート状などと集水可能な形状に適宜成形したものとすることが可能である。
【００１４】
受け口は、雨樋やその周辺付近からの漏水を、ビニルハウス内周辺に飛散させないようにして悉く容器本体内に回収可能とする機能を果たすものであり、雨樋の下側に回り込んで落下する雨水や、ビニルシートの内側面に逆流状となって落下する漏水、および門型パイプフレームの屋根部分を形成しているアーチ型パイプフレームの雨樋の下側となる端部を伝って落下する雨滴等を、回収可能とする程度の大きさに開口したものとすべきであり、上記した容器本体の天面部分を最大限に開口した形状か、あるいは上方に向けてさらに二段階、三段階などと拡開させた形状とするのが望ましい。
【００１５】
排水口は、容器本体の最下位となる付近に、導水路の上端側を接続可能とすると共に、容器本体内に回収した雨水を導水路側へ速やかに流下可能とする機能を果たし、単なる貫通孔に形成したものか、あるいは導水路用の接続構造部分を有する貫通孔、もしくは短尺パイプ状に形成されたものとすることが可能であり、より具体的には、内周面または外周面に導水路接続用のネジ山を形成し、所定長のパイプからなる導水路の上端に形成したネジ部分を着脱可能に螺着可能としたものにするか、あるいは貫通孔の開口縁に設けるか、または貫通孔の径方向に掛け渡した鈎型や環型等の連結用構造部分に、鎖や紐等からなる導水路上端側を吊着、可能としたものとすることができ、さらに、導水路用の接続機構を脱着、交換可能な別体部品として設けたものとすることが可能である。
【００１６】
吊下機構は、容器本体を連棟式ビニルハウスの直棟ビニルハウス間谷部に設置された雨樋およびその近傍周辺付近から漏出し、ビニルハウス内に落下して来る雨水を、回収可能とする位置に吊下、装着可能とする機能を果たし、容器本体を十分な強度で安定的に吊下げ、保持可能とするものとしなければならず、吊着位置付近の複数の門型パイプフレーム適所に、均衡するよう連結されたものとするのが望ましく、より具体的に示すと、容器本体の受け口周囲付近の均衡する複数箇所の夫々に、門型パイプフレームかあるいは雨樋の適所に繋着可能な鈎を有した繋着紐の基端を連結してなるものとすることが可能であり、また、容器本体の受け口周囲付近の均衡する複数箇所の夫々に、先端に門型パイプフレームかあるいは雨樋の適所に繋着可能な鈎を有し、中途適所に長さ調節金具を添設した繋着紐の基端を連結してなるものとすることができ、さらにまた、容器本体の受け口周囲付近の、取付け対象雨樋の両側縁に対応する部位夫々に、雨樋両側縁に繋着可能な繋着爪を一体化形成してなるものとすることができる。
【００１７】
導水路は、容器本体の雨漏れを受ける内側面の最下位となる付近に形成された排水口を通じて流下する雨水を、ビニルハウス内の農作物等に飛沫、付着しないように所望する地上付近に誘導、排水可能とする機能を果たすものであり、排水口に対して着脱自在とし、所望の地上適所まで誘導、排水可能とするに十分な長さと雨水流路を確保したものとしなければならず、手作業によって自由に変形可能な程度の柔軟性を有し、雨水が管路中を流下する軟質合成樹脂製のホースあるいは蛇腹構造や複数のパイプ駒を接続した金属製もしくは硬質合成樹脂製の配管からなるものとすることができる外、手作業によって自由に変形可能な程度の柔軟性を有し、雨水が外側を伝って流下する金属あるいは合成樹脂の鎖製、もしくは金属ワイヤ製または合成樹脂紐製のものとすることが可能である。
以下では、図面に示すこの発明を代表する実施例と共に、その構造について詳述することとする。                                                                                      
【実施例】
【００１８】
図１の装着状態にあるハウス用雨漏れ水処理具の斜視図に示される事例は、図５の連棟式ビニルハウスの斜視図中に示す、多数の門型パイプフレーム７１，７１，……を所定間隔置きに平行配置して骨格体７とする直棟ビニルハウス６１，６１，……が梁方向に複数連続して形成されるようにした連棟式ビニルハウス６の夫々の谷部６２に設置してある雨樋６３に対し、その直下で雨漏れ水を受けるに十分な大きさの受け口２１と所定深さとを有するようにして容器本体２を形成した上、該容器本体２の均衡する適所には、門型パイプフレーム７１，７１，……への吊下機構３を装備したものにすると共に、当該容器本体２の最下位箇所に形成した排水口２２には、適宜長さとした導水路４を着脱自在に接続してなるこの発明に包含されるハウス用雨漏れ水処理具１における代表的な実施例を示すものである。
【００１９】
当該ハウス用雨漏れ水処理具１は、図１中に示すように、合成樹脂製の漏斗状に形成された容器本体２を有し、該容器本体２の上部に開口された受け口２１の周縁の互いに均衡する四箇所には、先端に門型パイプフレーム７１の中途箇所に繋着可能な鈎３１を連結した所定長さの吊着紐３２，３２，……の基端が、夫々繋着されており、容器本体２の最下位箇所となる排水口２２は、図示していないがスリーブ状をなした排水用短尺管部分に形成されており、その下端側から容器本体２底部に至る基端付近までの外周面に、所定長さの軟質合成樹脂製のホースからなる導水路４の上端を、脱着可能に外嵌状に接続したものとなっている。
【００２０】
図２の形状の異なるハウス用雨漏れ水処理具の斜視図、および図３の分解されたホース接続部分の斜視図に示すハウス用雨漏れ水処理具１は、容器本体２を天面に受け口２１が開口された矩形箱状に形成し、該受け口２１の対峙する２辺に帯状のフランジ部２３，２３を僅かに延伸させ、各フランジ部２３，２３の両端角付近夫々に、鈎３１を連結した所定長さの吊着紐３２，３２，……の基端を繋着したものとし、図３中に示すように、容器本体２の平面状に形成された底面の略中央付近には、容器本体２中から肉厚方向に接続機構５装着用の排水口２２が貫通状に穿孔され、容器本体２内側から、上側基端側にフランジ部５３を形成したホース接続用の接続管５１が、該フランジ部５３と接続管５１との間に一体形成した連結用の雄ネジ部５２と共に、排水口２２ならびにその外周付近に装着されたゴム製シール環５４を貫通するよう装着され、容器本体２の底面下側に突出させた上、容器本体２の外側から、上面にフランジ部５６を一体形成した固定ナット５５を、接続管５１が下側に露出状となるよう貫通装着し、雄ネジ部５２に確りと螺着させ、接続機構５を形成した上、下方に露出させた接続環５１に、所定長さのホースからなる導水路４の上端を、脱着可能に外装状とするよう接続したものとなっている。さらに、図示していないが、図２中の各吊着紐３２，３２，……には、夫々の適所に長さ調節用の金具や、あるいは巻取り機構等を設け、各々を独立して長さ調節できるものとすることが可能である。
【００２１】
図４の雨樋に直接的に取り付けるハウス用雨漏れ水処理具の斜視図に示すものは、雨樋６３の下面形状に一定の間隔を隔てた下側に水浮け底面部分を形成し、ビニルハウスの棟方向となる両側縁を、鉛直状に立ち上げることにより、浅型の容器本体２を、比較的薄い亜鉛鍍金鋼板を板金加工、および鑞付けすることによって形成し、雨樋６３適所の下面に添わせて装着した際に、雨樋６３の縁部に対応する２辺から、帯状の繋着爪２３，２３を一体的、且つ折り曲げ可能に延伸させたものとする一方、容器本体２の最下位となる底面中央付近から、短尺筒状の排水口２２が下向きに突設され、該排水口２２の下端付近となる内側には、図示しない繋着用の鈎かあるいは横架棒等からなる繋着部分を形成し、該繋着部分にステンレス、アルミニウム、青銅や黄銅等の鎖からなる所定長さの導水路４の上端を、着脱可能に繋着したものとなっている。                    
【００２２】
（実施例の作用）
以上のとおりの構成からなるこの発明のハウス用雨漏れ水処理具１は、図５の門型パイプフレーム７１，７１，……によって形成された連棟式ビニルハウス６の隣接する直棟ビニルハウス６１，６１間の谷部６２に沿って棟方向に設置された雨樋６３，６３，……の特に鎖線円で囲まれた接続箇所等の、雨漏りが発生し易い箇所か、雨漏りが既に発生している箇所か、あるいは、雨漏りの発生が予想される箇所等の何れかの下側に対して、図１中に示すように適宜吊着、設置して使用するものである。
【００２３】
雨樋６３下側への取付けの際には、図１中に示すように、容器本体２の受け口２１を、雨樋６３から溢れ出した雨水が、伝って落下する雨樋６３の底部、およびその下側に延伸された門型パイプフレーム７１，７１の端部下方の配置とするよう、各吊着紐３２，３２，……先端の鈎３１，３１，……を、門型パイプフレーム７１，７１，……の適所に掛着し、例えば雨樋６３の縁部等に係止されるものとして安定的に吊下されるものとした上、容器本体２最下位箇所の排水口２２に合成樹脂製ホースからなる導水路４の一端を接続し、同導水路４の他方端を、直下となる連棟式ビニルハウス６内の地上適所に誘導し、そのまま地上に排水、土壌中に浸透させるか、適所に敷設されている排水溝に流出可能とするか、あるいは、排水に好都合な連棟式ビニルハウス６内外何れかの地上付近適所まで誘導し、必要に応じて地上や他物に仮固定する等して設置作業を完了する。
【００２４】
このように設置されたハウス用雨漏れ水処理具１は、図５の鎖線円中に示す、雨樋６３，６３接続部分のコーキングに亀裂が入った箇所や、それ以外の何等かの理由で雨樋６３の中途箇所から溢れ出した雨水を悉く受け口２１に受入れ、漏斗型の容器本体２内に回収された雨水が、排水口２２および導水路４を通じて、周囲に飛沫すること無く速やかに所望する地上付近にまで流下、排水されるものとなる。
【００２５】
図２に示すように、矩形箱型の容器本体２とした場合には、漏斗型のものに比較して容量が増し、より多くの雨水を収容可能なので、容器本体２受け口２１から、雨水が溢れ出るのをさらに確実に防止し、集中的な降雨にも十分に対応可能なものとすることが可能である。
【００２６】
図４中に示したハウス用雨漏れ水処理具１は、容器本体２を雨樋６３の下面に沿って密着状に装着することが可能であり、一対の掛着爪２３，２３を、雨樋６３の左右縁適所夫々に向けて折り曲げることにより、雨樋６３に対して一体的且つ固定的に装着することが可能となるので、雨樋６３の下面に回り込むように流れた雨水を周囲に飛沫させること無く、回収することが可能となり、容器本体２の上面に回収された雨水は、排水口２２を通じて鎖からなる導水路４を伝って連棟式ビニルハウス６内の所望する地上付近に流下、排水されることとなる。
【００２７】
（実施例の効果）
以上のような構成からなる実施例のハウス用雨漏れ水処理具１は、前記この発明の効果の項で記載の特徴に加え、図１または図２中に示したように、容器本体２の受け口２１周囲付近の均衡する４箇所に、鈎３１を有する吊着紐３２，３２，……を掛着したものとすることにより、複数の門型パイプフレーム７１，７１，……が組合せ連結されている雨樋６３周辺の適所に適正に繋着することが可能となり、容器本体２を雨漏りを受けるのに最適な位置に容易に配置させることができるものとなる。
【００２８】
また、図３中に示したように、容器本体２底面の排水口２２に、接続機構５を脱着自在に装着したものとすることにより、作業者が導水路４を所望の位置まで延伸、敷設しようと地上から引き寄せ操作したり、導水路４であるホースの交換に伴う脱着の繰り返しや、長期に渡り導水路４の自重による荷重を受ける等して接続管５１の基端部等に亀裂や破損が発生してしまった場合であっても、接続機構５の破損部品のみを新品と交換することにより、簡便にメンテナンスすることができるものとなる。
【００２９】
さらにまた、図４のハウス用雨漏れ水処理具１とすることにより、容器本体２に一体形成された繋着爪２３，２３によって雨樋６３に対し、確りと固定されるので、連棟式ビニルハウス６周壁面のビニルシートを開放させて、通気性を確保した最にも、容器本体２が風を受けて揺動したりせずに、確実に雨漏り箇所への配置を維持するものとなり、しかも受け口２１の周縁を雨樋６３の底面に接近させた状態に装着できるので、容器本体２中への水滴の落下に伴う跳ね返りによる周囲への飛沫が発生せず、より確実に雨漏れによる被害を防止することができるという利点を得られることになる。
【００３０】
（結  び）
叙述の如く、この発明のハウス用雨漏れ水処理具は、その新規な構成によって所期の目的を遍く達成可能とするものであり、しかも製造も容易で、従前までのように雨天の際に発生した雨樋周辺からの雨漏りを阻止しようと、荒天の中ビニルハウス上に登り、防水処理を施すという危険な作業を一切不要とし、ビニルハウス内での吊着作業によって簡便且つ迅速、安全に対応することができ、しかも経済的に雨漏りによる農作物への損害を、防止できるものとなることから、高齢化に伴う人手不足に悩まされる園芸農家や、農機具販売店等においても高く評価され、広範に渡って利用、普及していくものになると予想される。                                                                                                        
【図面の簡単な説明】
【００３１】
図面は、この発明のハウス用雨漏れ水処理具の技術的思想を具現化した代表的な実施例を示すものである。
【図１】使用状態にあるハウス用雨漏れ水処理具を示す斜視図である。
【図２】ハウス用雨漏れ水処理具の変形例を示す斜視図である。
【図３】分解されたホースの接続機構を示す斜視図である。
【図４】ハウス用雨漏れ水処理具のさらに外の変形例を示す斜視図である。
【図５】連棟式ビニルハウスの雨樋要部を示す斜視図である。
【符号の説明】
【００３２】
１      ハウス用雨漏れ水処理具
２      容器本体
２１    同  受け口
２２    同  排水口
２３    同  繋着爪
３      吊下機構
３１    同  鈎
３２    同  吊着紐
４      導水路
５      接続機構
５１    同  接続管
５２    同  雄ネジ部
５３    同  フランジ部
５４    同  シール環
５５    同  固定ナット
５６    同  フランジ部
６      連棟式ビニルハウス
６１    同  直棟ビニルハウス
６２    同  谷部
６３    同  雨樋
７      骨格体
７１    同  門型パイプフレーム
７２    同  ビニルシート                                                                        
【図１】
2006045826.tif 000003
【図２】
2006045826.tif 000004
【図３】
2006045826.tif 000005
【図４】
2006045826.tif 000006
【図５】
2006045826.tif 000007